(57)【特許請求の範囲】
【請求項１】
円筒、三角筒、四角筒、六角筒、多角筒等からなる筒を本体筒として、太さの相違する異円筒及び、異三角筒、異四角筒、異多角筒等の補助筒として本体筒にスライド自在にはめ込み、補助筒上端の円周に一個ないし任意の数のＶ字型、山谷型、凸凹型等の切り込みをいれて、複数釣針の付いた枝ハリスの釣針を収容する釣針保管部を設け、本体下端部に径か下方に行くに従い小さくなるようなくびれ部を作り、該くびれ部を幹糸を巻き取る糸巻き部にし、前記補助筒をスライドさせることで、くびれ部に巻き取られた幹糸から分岐する枝ハリスのたるみを無くすことが可能な複数釣針、枝ハリス、幹糸セットのスライド式糸巻。
【請求項２】
請求項１に記載された複数釣針、枝ハリス及び幹糸セットのスライド式糸巻において、補助筒を内側に本体筒を外側にはめ込み、補助筒と本体筒の固定を本体筒に設けた円中心変位ブレーキにより行い、円中心変位ブレーキは円盤の回転軸を円盤の中心から変位させて設け、回転軸を本体筒に固定し、円盤を回転させることで本体筒の外周面と円盤の周囲を接触させてブレーキとなしたことを特徴とする複数釣針、枝ハリス、幹糸セットのスライド式糸巻。
【請求項３】
請求項１又は請求項２記載の幹糸、糸巻部の付いた複数釣針、枝ハリス及び幹糸セットの固定式糸巻きにおいて、くびれ部の下部に突起部を有する糸止部を設け、突起部は糸止部周囲に、一個ないし任意の数の幹糸の端を止める為の円柱、角柱、多角柱等の突起で構成され、突起の上面より切れ目を入れた上、突起に横穴を削穴し、先端及び終端を切れ目に入れるか又は横穴にハリスを通しね一回転させ引っ張って、固定させることの出来る糸止部の付いたことを特徴とする複数釣針、枝ハリス、幹糸セットのスライド式糸巻。
【請求項４】
請求項１−３のいずれか一項に記載の幹糸、糸巻部の付いた複数釣針、枝ハリス及び幹糸セットのスライド式糸巻において、補助筒を２段以上設けたことを特徴とする複数釣針、枝ハリス、幹糸セットのスライド式糸巻。
【発明の詳細な説明】
【技術分野】
【０００１】本発明は紙、プラスチック、竹、木、その他樹脂等の素材の活用が出来る、複数釣針、枝ハリス、幹糸セツトのスライド式糸巻。
【背景技術】
【０００２】釣針が一個の場合のハリスの糸巻は市場に色々あるものの、複数の針、枝ハリス、幹糸が付いている複数釣針については、枝ハリスの部分が阻害し規則的に糸巻することが困難なであった為、円盤状の物が出ているが使用上、取り扱いが今一不便である為、釣り人の考えにて独自の物を使用している。特に市場において販売されている複数釣針の枝ハリス、幹糸の糸巻は紙で出来た糸巻で、一度その物より使用すると元に戻すことが困難な糸巻であります。この発明に当たっては公開特許、実用新案広報提出されておりますが、特開２００２−２０９４９０は釣針掛け分部の材質がウレタン等非繊維質性の弾力性材料を使用するとありますが釣針の刺し換えの繰り返しにより破損し易い。又糸巻部が平面な為枝ハリスが滑り、糸が絡み合う可能性があり又実開平４−１２９７７９は釣針保管部が円上の格子になっている為曲がりやすく、又Ｕ字の糸端固定部は三日月状の空間の為破損し易い又数多くの複数釣針ハリスを保管出来ると有りますが取り外しは最後に巻き取った物から出さないと枝ハリスがある為自由に取りだし出来ない等不便である及び実開平２−４９８７４は糸巻部分の位置が不明確で糸巻の強さにより固定される為、移動し易く枝ハリスどうしのからみの発生する可能性があり、又複数の仕掛けを重ねて巻くことが出来ますが枝ハリスが阻害して、最後の巻き取りした分から出ないと使用できなくなると言う弊害が生じます又枝ハリスが絡み合い取り扱いし難くなる等問題を含んでいる。これらの問題を解決する為、今発明は複数釣針の付いた枝ハリス、幹糸を糸の流れに添って規則的に糸巻する事が出来ることの特徴を持ったもので、取扱いが簡単で、安全性があり、従来のものより、それぞれの問題を更に発展させた物で、釣用品の開発に役立つものです。魚種の拡大に伴い複数釣針の使用が多くなるも、糸巻、洗浄の上、保管する事が困難になっているので、それらの問題解決を図ることが出来る糸巻です。
記
【公開特許広報】
特開２００２−２０９４９０の参照
（５１）Ｉｎｔ．ｃ１．５    Ａ０１Ｋ  ９７／０６
【公開実用新案広報】
実開平４−１２９７７９の参照
（５１）Ｉｎｔ．ｃ１．５    Ａ０１Ｋ  ９７／０６
【公開実用新案広報】
実開平２−４９８７４参照
（５１）Ｉｎｔ．ｃ１．５    Ａ０１Ｋ  ９７／０６
【発明の開示】
【発明が解決しようとする課題】
【０００３】趣味の釣道具に於いて複数の針が付いている枝ハリス、幹糸の糸巻保管については枝ハリスと幹糸が分岐されている為規則的に簡単に糸巻する事が困難であった。特に枝ハリスの長さは釣針の大きさ、釣る魚種によりまちまちでありそれらの複数数釣針、枝ハリス、幹糸を従来より簡単、安全に巻取り、洗浄保管できる糸巻が必要になっていた。
【課題を解決するための手段】
【０００４】複数釣針の付いた枝ハリスの長さは釣針の大きさや、釣魚種等により絶えず変動するので円筒、三角筒、四角筒、六角筒、多角筒等に類するものを本体筒として、太さの相違する異円筒及び、異三角筒、異四角筒、異多角筒等の補助筒としてスライドさせ、補助筒上部の先端円周に１個ないし任意の数のＶ字型、山谷型、凸凹型等の切り込みを入れて、複数釣針の付いた枝ハリスの釣針を収容する釣針保管部とし、その上太さの相違する異円筒及び、異三角筒、異四角筒、異多角筒等の補助筒として二段以上の、スライド方式にし、スライドさせる太さの相違する異円筒及び異角筒類の補助筒の、上下の動きを止める為に本体の外円筒及び外角筒類の上部付近に、内円筒、内角筒類に透過する様に窓を開け、円盤の中心軸を移動させた円盤を、両サイドの取り付け板に縦に、回転するように固定し、円盤の外側一箇所にトツテを取り付け、そのトツテを上下に動かす事により、円盤の中心がずれている為、円の回転が変異した回転になり、補助筒に接触し、スライドの上下が固定される、円中心変位ブレーキを設けたもので、円筒本体と円補助筒の組み合わせの場合は本体筒と補助筒が丸い為ブレーキのみでは回転し易いので、補助筒の外側に凹の溝を作り、円中心変位ブレーキの円盤が溝に入るようにし、本体筒と補助筒との回転を止め、枝ハリスのからみの発生を防止した。角筒類に付いては本体と補助筒は回転しないので、この溝は工作しない様にした、円中心変位ブレーキが付いたスライド式糸巻きである。更に円筒、三角筒、四角筒、六角筒等に類するものの本体外側のはわせ部の下方に逆傾斜くびれを設け、そのくびれに幹糸を巻き取る、幹糸、糸巻部を設けた物である。幹糸、糸巻部はくびれを逆傾斜させることにより、枝ハリスを滑りやすくし、糸巻時に枝ハリスの外れを防止すると共に、枝ハリスに引っ張り強さを与え、可能な限りたるみを無くして、糸巻出来る様にした。その上幹糸、糸巻部の真下の円周に円柱、角柱、多角柱等の物に真上から切れ目及び一個の横穴を削穴したものを、幹糸、糸止めとして、幹糸の両端を切れ目に入れるか、横穴にハリスを通し、一回転させ引っ張って、固定させるか、スナップも止めることが出来る、円柱切れ目、横穴付きの糸止めの使用した物で、本体筒及び補助筒の全体の長さは複数の釣針が付いた枝ハリスの長さに応じ、太さの相違する異円筒及び異辺筒の二段式以上のスライド式にして、全体の長さ及び直径及び一辺を、任意の長さに調整出来るものある。枝ハリスの長さが色々の長さの仕様の物が使用可能な、複数釣針、枝ハリス、幹糸セツトのスライド式糸巻により従来困難とされて来た枝ハリスの長さの変動に対しても対応出来る複数釣針、枝ハリス、幹糸のセットの糸巻で、糸の流れを利用した、簡単、安全に保管できる糸巻の発明することが出来た。
【発明の効果】
【０００５】現在趣味に於いてのサビキ針の保管は釣り人の保管が困難な為に一回のみ使用で廃棄されてケースが多く無駄であった。今回の円筒式複数釣針、枝ハリス、幹糸セツトの糸巻は釣り人の糸巻き作業が容易で洗浄が簡単にて、釣糸、釣針の有効活用が出来るようになり、釣の楽しみを倍加させる物であります。又漁業に於いての釣針の保管は非常に手間のかかるものであり、今回の発明は円筒の長さ及び直径又は一辺の大きさを変えれば漁業用としての使用も可能であり、複数釣針、枝ハリス、幹糸セットの糸巻の機械化も可能と考えられる画期的な発明であります。
【発明の実地するための最良の形態】
【０００６】図７示す実施例に基づいて本発明の実施態様を説明する。始めに複数の釣針が付いた枝ハリス１３の長さを、釣針１２の丸みの部分を釣針保管部１に引掛けた位置より枝ハリス１３の結び目までの長さに応じて、幹糸糸巻部５までの位置に合わせる様に補助筒類２と本体筒３のはわせ部４をスライドさせると同時に、円中心変位ブレーキ７により補助筒類２の回転及び上下の移動を停止させる為、円中心変位ブレーキ７のトッテ８を下向きにし固定する。次に幹糸１４の先端１６を幹糸、糸巻部５の下にある円柱切れ目、横穴付き糸止６の何れかに糸止めし、枝ハリス１３の一番目の結び目迄で糸巻し、先頭結び目の枝ハリスをはわせ部４に導き、上部釣針保管部１へ、釣針１２の先を内側にし、釣針１２の丸みの部分を円筒上部の釣針保管部１の切れ目に引掛けるとともに、枝ハリス１３の先頭結び目から次の枝ハリス１２の結び目が付いている部分までの幹糸１４を、円筒類のくびれの幹糸、糸巻５に巻き取り、その時の枝ハリス１３を直角に上部にはわせ部４に導き、針先を内側にして釣針１２の丸みの部分を上部釣針保管部１の切れ目の部分に引っ掛けると、同時に枝ハリス１３の結び目より幹糸１４を円筒くびれの幹糸、糸巻部５に、次の枝ハリス１３の結び目まで巻き取る。これを繰り返し行い、最後に幹糸１４の終端１７を円柱切れ目、横穴付き糸止６に糸止めする。この中で円柱切れ目、横穴付き幹糸、糸止め６の使用方法は横穴を使用の場合、幹糸１４の両端いずれでも横穴に挿入した後、円柱類に１回転させ更に穴に挿入し軽く引っ張り固定する。切れ目を使用した場合は切れ目の円柱類に幹糸１４両端いずれでも円柱類に１回転させてから幹糸１４を切れ目に挿入して固定させる又幹糸両端いずれのスナップ１５使用時は横穴にスナップ１５のピンを挿入させ固定するので、いずれも外れ難く、解除しやすい物であり、釣針１２と枝ハリス１３と幹糸１４が綺麗に巻き取りする事が出来る糸巻で、そのまま水道水等で洗浄し、乾燥させ錆を防ぐことの出来る円筒類複数釣針、枝ハリス、幹糸セットのスライド式糸巻である。保管した複数釣針ハリスの使用時の糸止めの解除は幹糸１４終端１７を円柱切れ目、横穴付き糸止６の横穴を使用した場合、幹糸終端１７を止めた糸止め６の、幹糸１４の巻き終わりの円柱切れ目、横穴付き糸止め６の横穴の手前を軽く引き外し、幹糸、糸巻部５に巻かれた幹糸１４を順次ほどいて、枝ハリス１３をゆるめ、釣針保管部１に掛けていた釣針１２を外して行き使用する。スナップ１５を使用して止めた場合は円柱切れ目、横穴付き糸止め６横穴よりスナツプ１５−１７を外してから幹糸、糸巻５に巻いた幹糸１４を外し、順次ほどいて、緩んだ枝ハリス１３に付いている釣針１２を釣針保管部１より外して行き使用する。又切れ目を使用した場合は円柱切れ目、横穴付き糸止６の切れ目より幹糸１４の終端１７を外し、幹糸１４を幹糸、糸巻部５より順次ほどいて、緩んだ枝ハリス１３についている釣針１４を釣針保管部１より外し行き使用する。
【産業上の利用可能性】
【０００７】魚釣りに於ける複数釣針、枝ハリス、幹糸の保管、管理は趣味、漁業に於いては重要な釣道具でありますがその保管については旧態依然としあまり改善の進展が少なく、商品化は限られておりました。今回の発明は使いやすい複数釣針、枝ハリス、幹糸セットの糸巻きで漁業の魚具とし、大型化が可能であり、産業用としても使用可能の出来る物であります。
【図面の簡単な説明】
【０００８】
【図１】本発明に係る複数の釣針、枝ハリス、幹糸の長さに応じ、本体の長さ、直径、一辺を自由に調整出来、各糸を巻き取ることの出来る本体正面図。
【図２】本体に係る側面図
【図３】本体に係る上面図
【図４】本体に係る一部を構成する円柱切れ目、横穴付き幹糸、糸止めの部品の正面図、側面図、上面図
【図５】本体に係る一部を構成する、本体筒と補助筒との回転と上下の移動を止める為の円中心変位ブレーキ部材の正面図、側面図、側断面図、円中心変位ブレーキ部断面図。
【図６】本発明に係る複数釣針、枝ハリス、幹糸の糸巻の実際の形態図。
【図７】本発明に係る図６の複数釣針付き、枝ハリス、幹糸を使用した場合の実際の糸巻の流れを明示した図面である。
【符号の説明】
【０００９】    １、釣針保管部
２、補助筒
３、本体筒
４、はわせ部
５、幹糸、糸巻部
６、円柱切れ目、横穴付き幹糸、糸止め
７、円中心変位ブレーキ
８、ブレーキトッテ
９、ブレーキ円盤
１０、円盤支え板
１１、補助筒凹溝
１２、釣針
１３、枝ハリス
１４、幹糸
１５、スナツプ
１６、幹糸先端
１７、幹糸終端
【要約】
【課題】本発明は、複数の釣針の付いた、枝ハリス、幹糸は糸の流れが分岐し一本化していない為、簡単に糸巻するのが困難であった。特に枝ハリスは釣針の大きさ、魚種によって長さがまちまちであり、商品として梯子型、円盤形態の物が発売されているも、釣針の保管、枝ハリス、幹糸の糸巻きが今一で解決する点があり、簡単に保管できる複数釣針の糸巻が必要であった。
【解決手段】本体は円筒、三角、角筒、多角筒等を本体筒として、異型筒を補助筒とし、二個以上のスライド形式にし、補助筒の上部円周に複数釣針の保管部として、Ｖ字、凸凹、山谷型等の切れ込みを入れ、その下方に枝ハリスの、はわせ部を設け、補助筒と本体筒を上下にスライドさせ、使用する枝ハリスの長さに調整する事ができ、本体筒の下部の一部に逆傾斜したくびれを設け、幹糸、糸巻にし、枝ハリスの仕様の長さが色々の物を使用する時に有効に使用可能な複数釣針、枝ハリス、幹糸セットのスライド式糸巻です。
【選択図】  図１【図１】
0003635287.tif 000002
【図２】
0003635287.tif 000003
【図３】
0003635287.tif 000004
【図４】
0003635287.tif 000005
【図５】
0003635287.tif 000006
【図６】
0003635287.tif 000007
【図７】
0003635287.tif 000008